(57)【特許請求の範囲】
【請求項１】
レンズ体を保持可能なレンズ保持部材と、
第１部分が該レンズ保持部材に固定され前記レンズ保持部材を光軸方向へ移動可能に支持する板ばねと、
該板ばねの第２部分が固定される固定側部材と、
前記レンズ保持部材を光軸方向に沿って移動させる少なくとも磁石およびコイルを有して構成される駆動機構とを備え、
前記板ばねは、前記第１部分と前記第２部分との間に少なくとも１つの方向変換部と該方向変換部に繋がる複数の腕部とを有するばね部を備えたレンズ駆動装置において、
前記板ばねは、前記第１部分を有する第１板部材と前記第２部分を有する第２板部材とからなり、
前記第１板部材と前記第２板部材とが、前記ばね部の前記方向変換部で連結されていることを特徴とするレンズ駆動装置。
【請求項２】
前記第１板部材と前記第２板部材とが、溶接によって連結されていることを特徴とする請求項１に記載のレンズ駆動装置。
【請求項３】
前記板ばねの複数の前記腕部が直線状に設けられていることを特徴とする請求項１または請求項２に記載のレンズ駆動装置。
【発明の詳細な説明】
【技術分野】
【０００１】
本発明は、レンズ駆動装置に関し、特に、オートフォーカスに対応したレンズ駆動装置に関する。
【背景技術】
【０００２】
近年、携帯電話機をはじめとした電子機器には静止画や動画を撮影する機能を持ったものが多い。これらの電子機器には、静止画や動画の画像を取り込むカメラのレンズを駆動させて画像のピントを合わせているものがある。これらの電子機器では、ボイスコイルモータを用いたレンズ駆動装置によってレンズ体を駆動させているものが多くなっている。
【０００３】
上述の様なレンズ駆動装置として、特許文献１では、図１１および図１２に示す様なレンズ駆動装置９００が提案されている。図１１は、従来例のレンズ駆動装置９００の分解斜視図であり、図１２は、レンズ駆動装置９００の下側板ばね９０６および上側板ばね９０７の斜視図である。図１１に示すレンズ駆動装置９００は、金属板部材９０２を埋設したベース部材９０１と、レンズ体を保持可能なレンズ保持体９０３と、レンズ保持体９０３に金属線材が巻回されたコイル９０４と、金属板材からなるヨーク９０８と、ヨーク９０８の内側に対向配設される複数の磁石９０５と、レンズ保持体９０３を光軸方向へ移動可能に支持する弾性部材（下側板ばね９０６および上側板ばね９０７）と、環状に形成されたスペーサ部材９０９と、を備えている。
【０００４】
また、下側板ばね９０６は図１２（ａ）に示す様に、基台部９０６ａの一方端側と取り付け部９０６ｃの一方端側とは多段に折り返した曲線状に作製され、弾性を有した下側ばね部９０６ｅ（腕部とＲ形状の方向変換部）によって連結されており、基台部９０６ａの他方端側と取り付け部９０６ｃの他方端側とも同様に下側ばね部９０６ｅによって連結している。
【０００５】
また、上側板ばね９０７は図１２（ｂ）に示す様に、第１部分９０７ａの両端から多段に折り返した曲線状に作製され、弾性を有した上側ばね部９０７ｅ（腕部とＲ形状の方向変換部）が延出して設けられ、延出して設けられた上側ばね部９０７ｅは、それぞれ台座部９０７ｄに連結されている。
【０００６】
そして、コイル９０４に電流が流れるとコイル９０４の周囲に磁界が発生し、フレミングの左手の法則よりレンズ体の光軸方向に力が発生する。よって、下側板ばね９０６と上側板ばね９０７に支持されたレンズ保持体９０３は、レンズ体の光軸方向に沿って上下移動する。このようにレンズ保持体９０３がレンズ体の光軸方向へ上下移動することで、撮影する画像のピントを合わせることができる。
【先行技術文献】
【特許文献】
【０００７】
【特許文献１】実用新案登録３１７９６３４号公報
【発明の概要】
【発明が解決しようとする課題】
【０００８】
しかしながら、従来例のレンズ駆動装置９００では、１枚の金属板をエッチングあるいはプレス加工等で作製する弾性部材（下側板ばね９０６および上側板ばね９０７）で構成されるので、平面状にしか形成できない。また、多段に折り返して曲線状に作製された下側ばね部９０６ｅおよび上側ばね部９０７ｅにおいて、隣り合う部分の間隔をある一定までしか小さくすることができないので、レンズ保持体９０３の内径を基準とすると、弾性部材の外形が大きくなり、それに伴ってレンズ駆動装置９００の外形が大きくなる。この様な場合、さらにレンズ径を大きくする（レンズ保持部材の内径を大きくする）要求に対して、レンズ駆動装置９００の外形を変えないで対応するのは困難であった。
【０００９】
本発明は、上述した課題を解決するもので、レンズ径の大きなレンズ体に対応できるレンズ駆動装置を提供することを目的とする。
【課題を解決するための手段】
【００１０】
この課題を解決するために、本発明のレンズ駆動装置は、レンズ体を保持可能なレンズ保持部材と、第１部分が該レンズ保持部材に固定され前記レンズ保持部材を光軸方向へ移動可能に支持する板ばねと、該板ばねの第２部分が固定される固定側部材と、前記レンズ保持部材を光軸方向に沿って移動させる少なくとも磁石およびコイルを有して構成される駆動機構とを備え、前記板ばねは、前記第１部分と前記第２部分との間に少なくとも一つの方向変換部と該方向変換部に繋がる複数の腕部とを有するばね部を備えたレンズ駆動装置において、前記板ばねは、前記第１部分を有する第１板部材と前記第２部分を有する第２板部材とからなり、前記第１板部材と前記第２板部材とが、前記ばね部の前記方向変換部で連結されていることを特徴としている。
【００１１】
これによれば、本発明のレンズ駆動装置は、板ばねが、第１部分を有する第１板部材と第２部分を有する第２板部材とからなり、第１板部材と第２板部材とが、ばね部の一部で連結されているので、このばね部を第１板部材と第２板部材との別部材で作製することとなる。このため、第１板部材側のばね部と第２板部材側のばね部との間隔を狭く、あるいは重ねて作製することができ、ばね部の占有する面積を小さくすることができる。このことにより、板ばねの外形サイズを大きくすることなしに、板ばねの第１部分に対応したレンズ保持部材の内径を大きくすることができ、レンズ径の大きなレンズ体に対応できるレンズ駆動装置を提供することができる。また、板ばねの第１板部材と第２板部材とが、方向変換部で連結されているので、主にばね特性を決定づけている腕部には、連結する部分を設けていない。このため、板ばねのばね特性に影響をおよぼすことなく、ばね部の占有する面積を小さくすることができる。
【００１４】
また、本発明のレンズ駆動装置は、前記第１板部材と前記第２板部材とが、溶接によって連結されていることを特徴としている。
【００１５】
これによれば、本発明のレンズ駆動装置は、第１板部材と第２板部材とが、溶接によって連結されているので、２枚の板部材を容易に、且つ、確実に連結することができる。
【００１６】
また、本発明のレンズ駆動装置は、前記板ばねの複数の前記腕部が直線状に設けられていることを特徴としている。
【００１７】
これによれば、本発明のレンズ駆動装置は、板ばねの複数の腕部が直線状に設けられているので、複数の腕部を異なる板部材で構成した場合でも、腕部同士を干渉しにくいものとすることができる。このため、腕部同士をより近接させて設けることが可能となる。このことにより、より一層レンズ径の大きなレンズ体に対応することができる。
【発明の効果】
【００１８】
本発明のレンズ駆動装置は、レンズ径の大きなレンズ体に対応できる。
【図面の簡単な説明】
【００１９】
【図１】本発明の第１実施形態に係わるレンズ駆動装置の外観を示す斜視図である。
【図２】本発明の第１実施形態に係わるレンズ駆動装置の分解斜視図である。
【図３】本発明の第１実施形態に係わるレンズ駆動装置からヨークとセンサ基板およびセンサ用磁石を削除した斜視図である。
【図４】本発明の第１実施形態に係わるレンズ駆動装置からヨークとスペーサと磁石および上板ばねを削除した斜視図である。
【図５】本発明の第１実施形態に係わる上板ばねの平面図である。
【図６】本発明の第１実施形態に係わる上板ばねの斜視図である。
【図７】本発明の第１実施形態に係わる図６のＡ部の拡大図である。
【図８】本発明の第１実施形態に係わる上板ばねの（ａ）は、第１板部材の斜視図であり、（ｂ）は、第２板部材の斜視図である。
【図９】本発明の第１実施形態に係わる（ａ）は、レンズ保持部材の斜視図であり、（ｂ）は、レンズ保持部材と上板ばねの斜視図である。
【図１０】本発明の第１実施形態に係わる（ａ）は、レンズ保持部材の下方側から見た斜視図であり、（ｂ）は、レンズ保持部材と下板ばねの下方側から見た斜視図である。
【図１１】従来例のレンズ駆動装置９００の分解斜視図である。
【図１２】従来例のレンズ駆動装置９００の（ａ）は下側板ばね９０６の斜視図であり、（ｂ）は上側板ばね９０７の斜視図である。
【発明を実施するための形態】
【００２０】
［第１実施形態］
以下に本発明の第１実施形態におけるレンズ駆動装置１００について図１から図１０までを用いて説明する。
【００２１】
図１は、本発明の第１実施形態のレンズ駆動装置１００の外観を示す斜視図である。図２は、レンズ駆動装置１００の分解斜視図である。図３は、レンズ駆動装置１００からヨーク４３とセンサ基板５１およびセンサ用磁石５２を削除した斜視図である。図４は、レンズ駆動装置１００からヨーク４３とスペーサ３０と上板ばね１０および磁石４１を削除した斜視図である。図５は、上板ばね１０の平面図である。図６は、上板ばね１０の斜視図である。図７は、図６のＡ部の拡大図である。図８は、上板ばね１０の（ａ）は、第１板部材１１の斜視図であり、（ｂ）は、第２板部材１２の斜視図である。図９は、（ａ）は、レンズ保持部材２０の斜視図であり、（ｂ）は、レンズ保持部材２０と上板ばね１０の斜視図である。図１０は、（ａ）は、レンズ保持部材２０の下方側から見た斜視図であり、（ｂ）は、レンズ保持部材２０と下板ばね１８の下方側から見た斜視図である。
【００２２】
本発明の第１実施形態のレンズ駆動装置１００は、図１に示す様に直方体形状の外観を成し、Ｚ方向にレンズ体（図示しない）を収納するための大きな穴が開いた形状を成している。また、レンズ駆動装置１００は、レンズ保持部材２０にレンズ体が接着剤等を用いて固定され、撮像素子を実装した回路基板（図示しない）上に取り付けられている。そして、レンズ駆動装置１００は、外部の電源よりコイル４２に通電されて、磁石４１およびヨーク４３で生じる電磁力により、撮像素子の上方に配置されるレンズ保持部材２０を光軸方向に沿って移動させるものである。つまり、レンズ駆動装置１００とは、撮像素子に対してレンズ保持部材２０に保持されたレンズ体が離れる方向（Ｚ１方向）に移動させてマクロ撮影を可能にし、レンズ保持部材２０に保持されたレンズ体を近づける方向（Ｚ２方向）に移動させて無限遠撮影を可能にしている。
【００２３】
レンズ駆動装置１００は図２に示す様に、レンズ体を保持可能なレンズ保持部材２０と、レンズ保持部材２０を光軸方向に沿って移動させる少なくとも２つの磁石（駆動用磁石）４１およびコイル４２を有して構成される駆動機構と、レンズ保持部材２０を光軸方向に沿って上下に移動可能に支持する板ばね（上板ばね１０）および下板ばね１８と、レンズ保持部材２０が光軸方向に沿って上下に移動する移動量を検出するためのセンサ基板５１およびセンサ用磁石５２を有して構成される位置検出手段と、上板ばね１０を固定する固定側部材ＦＭを構成するスペーサ３０と、を備えて構成されている。尚、固定側部材ＦＭは、スペーサ３０と２つの磁石４１とを含んで構成される。
【００２４】
また、レンズ駆動装置１００は図２に示す様に、コイル４２に電流が流れることによって発生する磁界の強さを保つ外側ケースを兼ねたヨーク４３と、センサ基板５１を固定するベース部材６０と、を有している。
【００２５】
レンズ駆動装置１００のレンズ保持部材２０は、液晶ポリマー（ＬＣＰ、ＬＩＱＵＩＤ  ＣＲＹＳＴＡＬ  ＰＯＬＹＭＥＲ）等の合成樹脂を用いて射出成形して作製されており、図２および図４に示す様に筒状に形成されている。そして、レンズ体がレンズ保持部材２０の下方側（図２に示すＺ２側）から挿通されて、接着剤を用いてレンズ体がレンズ保持部材２０に接着されて保持されている。
【００２６】
レンズ駆動装置１００の板ばねは、銅合金を主成分とした金属板材をプレス加工またはエッチング加工されて作製されており、上板ばね１０は、図５および図６に示す様に外形が略矩形状で形成されている。また、下板ばね１８は、図２および図１０に示す様に内側形状が半円形状のものが２つで形成されている。尚、本実施形態においては、上板ばね１０が本発明における板ばねを構成している。
【００２７】
本発明の板ばねである上板ばね１０は、図５および図６に示す様に、第１部分１１ａと、第２部分１２ａと、ばね部１５と、を有している。また、上板ばね１０は、第１部分１１ａを有する第１板部材１１と第２部分１２ａを有する第２板部材１２との２部材から作製されており、第１板部材１１と第２板部材１２とがばね部１５の一部で連結されている。
【００２８】
上板ばね１０は、図５に示す様に、第１部分１１ａと第２部分１２ａとの間に少なくとも１つの方向変換部ＤＣと方向変換部ＤＣに繋がる複数の腕部１５ａ（第１腕部１５ｂ、第２腕部１５ｃ）とを有するばね部１５を備えている。
【００２９】
上板ばね１０の第１部分１１ａは、図５および図６に示す様に、円形の形状をした４つの丸穴を有して構成されている。また、図９に示す様に、レンズ保持部材２０の上面に形成された４つの凹部２０ａに接着剤を塗布し、この４つの凹部２０ａに上板ばね１０の４つの第１部分１１ａを対応する様に貼り合わせることで、上板ばね１０をレンズ保持部材２０に固定している。
【００３０】
上板ばね１０の第２部分１２ａは、図５および図６に示す様に、円形の形状をした４つの丸穴を有して構成されており、図３に示す様に、固定側部材ＦＭを構成するスペーサ３０と２つの磁石４１とで挟持されている。この際、固定側部材ＦＭで上板ばね１０が接着剤を用いて固定している。
【００３１】
上板ばね１０のばね部１５は、図５に示す様に、方向変換部ＤＣと、腕部１５ａと、を有している。また、ばね部１５は、所望のばね定数と機械的強度を得ることができる様に作製されている。
【００３２】
ばね部１５の方向変換部ＤＣは、図７および図８に示す様に、第１板部材１１の第１方向変換部１１ｂと第２板部材１２の第２方向変換部１２ｂを有している。第１方向変換部１１ｂと第２方向変換部１２ｂとは、溶接によって連結されている。このため、接着剤を用いて接着して連結する場合に比べて、第１板部材１１と第２板部材１２の金属板材を固着するまでの時間が短いという効果を奏する。
【００３３】
ばね部１５の腕部１５ａは、図７に示す様に、第１板部材１１の第１腕部１５ｂと第２板部材１２の第２腕部１５ｃを有している。第１腕部１５ｂおよび第２腕部１５ｃは、直線状に形成されている。このため、ばね定数を求め易く設計が容易となる。
【００３４】
板ばねの下板ばね１８は、図１０に示す様に、円形の形状をした４つの丸穴を有して構成された第３部分１８ａと、４隅に円形の形状をした丸穴を有して構成された第４部分１８ｂと、を有している。
【００３５】
そして、図１０に示す様に、レンズ保持部材２０の下面に形成された４つの円筒状の凸部２０ｂは、Ｚ２方向から下板ばね１８の第３部分１８ａを挿着して熱かしめを行う。これにより、下板ばね１８は、レンズ保持部材２０に固定される。
【００３６】
板ばねの上板ばね１０と下板ばね１８の内側部分は、レンズ保持部材２０とそれぞれ係合されて、光軸方向（図３に示すＺ方向）に移動可能になる様に、レンズ保持部材２０を空中で支持している。
【００３７】
レンズ駆動装置１００のスペーサ３０は、液晶ポリマー（ＬＣＰ）等の合成樹脂を用いて射出成形して製作されて、図２および図３に示す様に外形が矩形の板状形状に形成されている。また、スペーサ３０は、ヨーク４３のＺ２方向から挿着され、接着剤を用いてヨーク４３の内側の上面（図示しない）に固定されている。
【００３８】
レンズ駆動装置１００の駆動機構は、図３に示す様に、磁石４１と、コイル４２と、ヨーク４３と、を有している。駆動機構は、コイル４２に流れる電流によりコイル４２の周囲に発生する磁界と、２つの磁石４１から発生する磁界と、で磁気回路を構成し、この磁気回路で発生した磁界が外部に漏れない様にシールドし、磁界の強さを保つのがヨーク４３である。
【００３９】
駆動機構の磁気回路で発生した磁界は、フレミングの左手の法則より図３に示す光軸方向（Ｚ方向）に力が発生する。この力がコイル４２を固定したレンズ保持部材２０に作用することにより、レンズ保持部材２０を光軸方向に沿って上下移動させる。
【００４０】
駆動機構の磁石４１は、磁力の強いフェライトまたはネオジウム等の強磁性材料を主成分に用いて作製された永久磁石であり、図２に示す様に、断面形状が台形で平板状の外形に作製されている。２つの磁石４１は、図２および図３に示す様に、コイル４２の外側に位置するとともに、ヨーク４３の４隅の内の２隅に対向配設されている。また、２つの磁石４１は、ヨーク４３の内側の側面（図示しない）に接着剤を用いて固定されている。
【００４１】
駆動機構のコイル４２は、導電性の高い銅等を主成分に用いた導線で、その表面を絶縁部材で被覆して作製されており、図２示す様に、略８角形の環状形状で導線を巻回し、束ねて形成されている（導線の詳細な巻回状態を省略している）。また、コイル４２は、図３および図４に示す様に、レンズ保持部材２０の周囲を囲む位置に配設されて固定されている。
【００４２】
駆動機構のヨーク４３は、軟磁性材料の鉄またはケイ素鋼等を主成分に用いた金属板材をプレス加工や絞り加工を施して作製されおり、図２に示す様に外形が箱形に作製されている。
【００４３】
ヨーク４３は、レンズ保持部材２０、スペーサ３０、２つの磁石４１、コイル４２、板ばね、センサ基板５１、センサ用磁石５２等を内側に収容するとともに覆う様にして、ベース部材６０に係合されてベース部材６０とともに、レンズ駆動装置１００の外形を構成している。
【００４４】
レンズ駆動装置１００の位置検出手段は、図４に示す様に、センサ用磁石５２と、センサ基板５１と、センサ端子部５３と、を有している。センサ基板５１に実装されている磁気検出素子（図示しない）は、レンズ保持部材２０が光軸方向（Ｚ方向）に沿って上下移動するのに伴う、センサ用磁石５２から発生している磁界の変化を検出する。
【００４５】
位置検出手段のセンサ用磁石５２は、フェライトまたはネオジウム等の強磁性材料を主成分に用いて作製された永久磁石であり、図２および図４に示す様に直方体の形状に作製されている。また、センサ用磁石５２は、図４に示す様にレンズ保持部材２０の外周に接着剤を用いて固定されている。
【００４６】
位置検出手段のセンサ基板５１は、図示しない磁気検出素子等の電子部品が実装された回路基板である。また、センサ基板５１は、図４に示す様にベース部材６０の１つの側面に接着剤を用いて固定されている。
【００４７】
位置検出手段のセンサ端子部５３は、導電性の高い銅合金を主成分とした金属板材をプレス加工等されて作製され、図４に示す様にセンサ基板５１にインサート成形されている。また、センサ端子部５３は、図４に示す様に後述する端子部６１に隣り合う様に配設されている。
【００４８】
レンズ駆動装置１００の位置検出手段は、レンズ保持部材２０が光軸方向（Ｚ方向）に沿って上下移動すると、センサ用磁石５２も同様に上下移動するので、磁気検出素子で検出される磁界も連動して変化する。位置検出手段は、センサ端子部５３から磁界データを外部の信号処理部（図示しない）へ送信している。そして、外部の信号処理部は、送信された磁界データを処理することで、レンズ保持部材２０の光軸方向に沿って上下移動した移動量に変換する。この移動量を基にカメラで撮影する画像のピントを合わせる（オートフォーカス機能）ことができる。
【００４９】
レンズ駆動装置１００のベース部材６０は、液晶ポリマー（ＬＣＰ）等の合成樹脂を用いて、導電性の高い銅合金を主成分とした金属板材からなる端子部６１がインサート成形されたものである。また、ベース部材６０は、図２に示す様に外形が矩形の板状形状で、中央部分が円形の開口が形成されている。
【００５０】
レンズ駆動装置１００の端子部６１は、外部の回路基板（図示しない）に形成されたパターンと電気的に接続されて外部の電源から電力が供給されている。そして、コイル４２に電流を流している（図示しない）。
【００５１】
ここで、レンズ駆動装置１００の組み立てについて、以下にまとめて説明（詳細については、上述している）する。
【００５２】
はじめに、レンズ保持部材２０を中心に説明する。レンズ保持部材２０の周囲にコイル４２を配設し固定する。次に、センサ用磁石５２をレンズ保持部材２０の側面に固定する。次に、レンズ保持部材２０の下面（図２に示すＺ２方向）に下板ばね１８の第３部分１８ａを固定する。以上の様に組み立てられたレンズ保持部材２０を中心とした半製品ＡＡを準備する。
【００５３】
次に、ヨーク４３を中心に説明する。ヨーク４３の内側の上面（天井面）にスペーサ３０を配設し固定する。次に、上板ばね１０の第２部分１２ａをスペーサ３０に接着固定する。次に、２つの磁石４１をヨーク４３の内側の側面に配設し固定する。以上の様に組み立てられたヨーク４３を中心とした半製品ＢＢを準備する。尚、この組み立ては、ヨーク４３を逆さまにして行われる。
【００５４】
次に、ベース部材６０を中心に説明する。まず、センサ基板５１に磁気検出素子を半田付けで固定する。次に、ベース部材６０の端子部６１が配設された１つの側面部分の隣接部にセンサ基板５１を配置して固定する。以上の様に組み立てられたベース部材６０を中心とした半製品ＣＣを準備する。
【００５５】
その後、ベース部材６０を中心とした半製品ＣＣに図２示すＺ１方向からレンズ保持部材２０を中心とした半製品ＡＡを戴置して固定する。このとき、下板ばね１８の第４部分１８ｂをベース部材６０に固定する。次に、この戴置して固定した半製品（半製品ＡＡおよび半製品ＣＣ）に図２示すＺ１方向からヨーク４３を中心とした半製品ＢＢを配設して固定することにより、レンズ駆動装置１００が組み立てられる。尚、半製品ＢＢを組み立てる際には、上板ばね１０の第１部分１１ａがレンズ保持部材２０の上面に接着剤で固定されるとともに、ヨーク４３がベース部材６０に接着固定される。
【００５６】
以上の様に構成された本発明の第１実施形態のレンズ駆動装置１００における効果について、以下にまとめて説明する。
【００５７】
本発明の第１実施形態のレンズ駆動装置１００は、上板ばね１０が、第１部分１１ａを有する第１板部材１１と第２部分１２ａを有する第２板部材１２とからなり、第１板部材１１と第２板部材１２とが、ばね部１５の一部で連結されているので、このばね部１５を第１板部材１１と第２板部材１２との別部材で作製することとなる。このため、第１板部材側のばね部１５と第２板部材側のばね部１５との間隔を狭く、あるいは重ねて作製することができ、ばね部１５の占有する面積を小さくすることができる。このことにより、上板ばね１０の外形サイズを大きくすることなしに、上板ばね１０の内側部分である第１部分１１ａに対応したレンズ保持部材２０の内径を大きくすることができ、レンズ径の大きなレンズ体に対応できるレンズ駆動装置１００を提供することができる。
【００５８】
また、上板ばね１０の第１板部材１１と第２板部材１２とが、方向変換部ＤＣで連結されているので、主にばね特性を決定づけている腕部１５ａに連結する部分を設けていない。このため、上板ばね１０のばね特性に影響をおよぼすことなく、ばね部１５の占有する面積を小さくすることができる。
【００５９】
また、第１板部材１１と第２板部材１２とが、溶接によって連結されているので、２枚の板部材を容易に、且つ、確実に連結することができる。
【００６０】
また、上板ばね１０の複数の腕部１５ａが直線状に設けられているので、複数の腕部１５ａを異なる板部材で構成した場合でも、腕部同士を干渉しにくいものとすることができる。このため、腕部同士をより近接させて設けることが可能となる。このことにより、より一層レンズ径の大きなレンズ体に対応することができる。
【００６１】
以上のように、本発明の実施形態に係わるレンズ駆動装置１００を具体的に説明したが、本発明は上記の実施形態に限定されるものではなく、要旨を逸脱しない範囲で種々変更して実施することが可能である。例えば次の様に変形して実施することができ、これらの実施形態も本発明の技術的範囲に属する。
【００６２】
＜変形例１＞
第１実施形態では、好適に上板ばね１０の複数の腕部１５ａが直線状に設けられていたが、腕部１５ａは、湾曲状に設けられても良い。
【００６３】
＜変形例２＞
第１実施形態では、２つの磁石４１は、断面形状が台形で平板状の外形を成しているが、断面形状が長方形で平板状の外形で作製されても良い。
【００６４】
＜変形例３＞
第１実施形態では、コイル４２は、略８角形の環状形状で導線を巻回し、束ねて形成しているが、略円形の環状形状で導線を巻回し、束ねて形成しても良い。
【符号の説明】
【００６５】
１０    上板ばね
１１    第１板部材
１１ａ  第１部分
１１ｂ  第１方向変換部
１２    第２板部材
１２ａ  第２部分
１２ｂ  第２方向変換部
１５    ばね部
１５ａ  腕部
１５ｂ  第１腕部
１５ｃ  第２腕部
１８    下板ばね
１８ａ  第３部分
１８ｂ  第４部分
２０    レンズ保持部材
２０ａ  凹部
２０ｂ  凸部
３０    スペーサ
４１    磁石
４２    コイル
４３    ヨーク
５１    センサ基板
５２    センサ用磁石
５３    センサ端子部
６０    ベース部材
６１    端子部
１００  レンズ駆動装置
ＡＡ    半製品
ＢＢ    半製品
ＣＣ    半製品
ＤＣ    方向変換部
ＦＭ    固定側部材
９００  レンズ駆動装置
９０１  ベース部材
９０２  金属板部材
９０３  レンズ保持体
９０４  コイル
９０５  磁石
９０６  下側板ばね
９０６ａ  基台部
９０６ｃ  取り付け部
９０６ｅ  下側ばね部
９０７  上側板ばね
９０７ａ  第１部分
９０７ｄ  台座部
９０７ｅ  上側ばね部
９０８  ヨーク
９０９  スペーサ部材
【図１】
0006478408.tif 000002
【図２】
0006478408.tif 000003
【図３】
0006478408.tif 000004
【図４】
0006478408.tif 000005
【図５】
0006478408.tif 000006
【図６】
0006478408.tif 000007
【図７】
0006478408.tif 000008
【図８】
0006478408.tif 000009
【図９】
0006478408.tif 000010
【図１０】
0006478408.tif 000011
【図１１】
0006478408.tif 000012
【図１２】
0006478408.tif 000013